(57)【特許請求の範囲】
【請求項１】
電池より供給される電力を利用して情報の処理を行う処理手段と、前記情報を赤外線信号で送受する第1の送受信手段と、前記赤外線信号の前記送受信手段からの出射角度を調整する調整手段と、前記調整手段を制御する制御手段とを有する第1の電子機器と、
情報を赤外線信号で送受する第２の送受信手段と指令手段とを有する第２の電子機器との間の情報伝送方法であって、
前記第２の電子機器は前記第２の送受信手段を用いて、前記第１の電子機器に対して該第１の電子機器の状況を問い合わせ、
前記第１の電子機器は、この問い合わせに対して該第１の電子機器の状況を前記第1の送受信手段を用いて、前記第２の電子機器へ返答し、
前記第２の電子機器は前記第２の送受信手段を用いて、前記第１の電子機器からの返答を受信するとともに、その受信内容に基づいて前記第１の電子機器に対して前記調整手段によって前記赤外線信号の前記送受信手段からの出射角度を調整するように前記指令手段から前記第２の送受信手段を用いて指令を出すことを特徴とする電子機器の情報伝送方法。
【請求項２】
前記第１の電子機器は、前記電池の残量を検出する残量検出手段をさらに備え、前記電子機器の状況は、前記電池の残量であることを特徴とする請求項１に記載の電子機器。
【請求項３】
前記第２の電子機器は、前記電池の残量が少ないとき、前記赤外線信号の出射角度が狭くなるように前記調整手段を制御する指令を出すことを特徴とする請求項２に記載の電子機器の情報伝送方法。
【請求項４】
前記第１の電子機器は、外部からの電力の供給状態を検出する外部電力検出手段をさらに備え、前記電子機器の状況は、外部からの電力の供給状態の有無であることを特徴とする請求項１，２または３に記載の電子機器の情報伝送方法。
【発明の詳細な説明】
【０００１】
【発明の属する技術分野】
本発明は、電子機器、情報伝送方法、並びに記録媒体に関し、特に、赤外線信号を用いて、正確に情報を伝送することができるようにした、電子機器、情報伝送方法、並びに記録媒体に関する。
【０００２】
【従来の技術】
例えば、テレビジョン受像機を、リモートコマンダにより遠隔制御する場合、赤外線信号が用いられている。このような赤外線信号を用いて通信を行う場合の仕様については、ＩｒＤＡ(Infrared Data Association)１．０方式またはＩｒＤＡ１．１方式として、図９に示すような規格が定められている。前者は、２４００ビット／秒乃至１１５．２ｋ／秒の伝送速度の規格であり、後者は、４Ｍビット／秒までのすべての伝送速度を含む規格となっている。いずれの方式においても、赤外線信号の出射角度は±１５度として規定されている。
【０００３】
【発明が解決しようとする課題】
ところで、赤外線信号を用いて通信を行う電子機器は、電池またはＡＣアダプタから電力が供給されるようになされていることが多い。ＡＣアダプタから電力が供給されている場合には、停電などの異常事態が発生しない限り、電力不足となることは殆どない。しかしながら、電池から電力が供給されている場合には、使用時間が長くなると、電池の残容量が不足し、充分な電力が供給されない状態となることがある。電池の容量が少なくなると、赤外線信号で通信することが可能な距離が短くなってしまう。その結果、電池の容量が充分な状態においては通信が可能であったとしても、電池の残容量の低下にともなって、通信ができなくなってしまう事態となることがあった。
【０００４】
本発明はこのような状況に鑑みてなされたものであり、電池の残容量に拘らず、安定して通信を行うことができるようにするものである。
【０００５】
【課題を解決するための手段】
請求項１に記載の電子機器の情報伝送方法は、電池より供給される電力を利用して情報の処理を行う処理手段と、前記情報を赤外線信号で送受する第1の送受信手段と、前記赤外線信号の前記送受信手段からの出射角度を調整する調整手段と、前記調整手段を制御する制御手段とを有する第1の電子機器と、情報を赤外線信号で送受する第２の送受信手段と指令手段とを有する第２の電子機器との間の情報伝送方法であって、前記第２の電子機器は前記第２の送受信手段を用いて、前記第１の電子機器に対して該第１の電子機器の状況を問い合わせ、前記第１の電子機器は、この問い合わせに対して該第１の電子機器の状況を前記第1の送受信手段を用いて、前記第２の電子機器へ返答し、前記第２の電子機器は前記第２の送受信手段を用いて、前記第１の電子機器からの返答を受信するとともに、その受信内容に基づいて前記第１の電子機器に対して前記調整手段によって前記赤外線信号の前記送受信手段からの出射角度を調整するように前記指令手段から前記第２の送受信手段を用いて指令を出すことを特徴とする。
【０００６】
この電子機器の情報伝送方法においては、電池の残量を検出する残量検出手段をさらに設け、制御手段に電池の残量に対応して調整手段を制御させるようにすることができる。そして、電池の残量が少ないとき、赤外線信号の出射角度が狭くなるように調整手段を制御するようにすることができる。
【０００７】
また、この電子機器の情報伝送方法においては、外部からの電力の供給状態を検出する外部電力検出手段をさらに設け、外部からの電力の供給状態に対応して調整手段を制御させるようにすることができる。
【０００８】
さらに、調整手段の制御は、第２の電子機器からの指令に対応して実行する。
【００１２】
請求項１に記載の電子機器の情報伝送方法においては、赤外線信号の伝送手段からの出射角度が調整手段により調整される。
【００１４】
【発明の実施の形態】
図１は、本発明の電子機器を適用したデジタルスチルカメラの構成例を表している。この構成例においては、デジタルスチルカメラが、カメラ本体４２と、これに対して接続部４３を介して着脱自在とされるレンズブロック４１とにより構成されている。レンズブロック４１においては、撮影レンズ１が図示せぬ被写体から取り込んだ光をＣＣＤ(Charge Coupled Device)２に結像するようになされている。ＣＣＤ２は、撮影レンズ１より入射された光を光電変換し、アンプ３を介してＡ／Ｄ変換回路４に出力し、Ａ／Ｄ変換させた後、接続部４３の端子３１からカメラ本体４２に出力するようになされている。駆動回路５は、接続部４３の端子３２を介して、カメラ本体４２から制御信号が入力されると、ＣＣＤ２を駆動するようになされている。
【００１５】
カメラ本体４２側においては、接続部４３の端子３１を介して、Ａ／Ｄ変換回路４からの画像信号がタイミングジェネレータ１２に供給されるようになされている。タイミングジェネレータ１２は、端子３２を介して、駆動回路５を制御し、ＣＣＤ２を駆動するようになされている。タイミングジェネレータ１２はまた、Ａ／Ｄ変換回路４より供給された画像データを、ＤＲＡＭ(Dynamic Random Access Memory)１３に書き込むようになされている。このようにして、ＤＲＡＭ１３に書き込まれるＣＣＤ２からの画像データは、黄色（Ｙｅ）、シアン（Ｃｙ）、緑（Ｇｒ）の色成分を有している。
【００１６】
ＤＲＡＭ１３に書き込まれた画像データは、圧縮／伸張回路１５により圧縮され、フラッシュメモリ１４に書き込まれるようになされている。また、ＤＲＡＭ１３に記憶された画像データは、そこから読み出され、シグナルジェネレータ１６に供給され、ホワイトバランス調整が行われた後、色演算処理が行われ、輝度信号Ｙ、色差信号Ｒ−Ｙ，Ｂ−Ｙが生成され、ＶＲＡＭ(Video Random Access Memory)１７に記憶されるようになされている。シグナルジェネレータ１６はまた、ＶＲＡＭ１７に記憶された画像データを読み出し、Ｄ／Ａ変換回路１８に出力し、Ｄ／Ａ変換させた後、アンプ１９を介して、ＬＣＤ２０に出力し、表示させるようになされている。また、アンプ１９より出力されたアナログビデオ信号は、図示せぬ外部装置にも出力されるようになされている。
【００１７】
ＣＰＵ(Central Processing Unit)２１（処理手段）は、ＲＯＭ(Read Only Memory)２２に記憶されているプログラムに従って、各種の処理を実行するようになされている。ＲＡＭ(Random Access Memory)２３は、ＣＰＵ２１が各種の処理を実行する上において必要なデータなどを適宜記憶する。キー入力部２４（入力手段）は、各種のキーやボタンなどにより構成され、ＣＰＵ２１に各種の指令を入力するとき操作される。Ｉ／Ｏポート２５は、ＣＰＵ２１と外部装置との間におけるシリアルデータの入出力のインタフェース処理を実行するようになされている。
【００１８】
Ｉ／Ｏポート２５には、各回路に電力を供給する電池５１の残容量を検出する検出回路５２（残量検出手段）の検出結果が入力されている。また、ＡＣアダプタ接続端子５３にＡＣアダプタ（図示せず）が接続された場合には、電池５１に代えて、このＡＣアダプタから各回路に電力が供給されるようになされており、検出回路５４（外部電力検出手段）は、ＡＣアダプタ接続端子５３に、ＡＣアダプタが接続されているか否かを検出し、その検出信号をＩ／Ｏポート２５に出力している。
【００１９】
さらに、このデジタルスチルカメラは、赤外線信号で情報を授受するために、発光部５６と受光部５７を有している。発光部５６は、赤外線信号を発生する発光ダイオード５８（伝送手段）と、発光ダイオード５８より出射された赤外線信号の出射角度を調整するレンズ５９（調整手段）を有している。駆動部５５は、Ｉ／Ｏポート２５を介してＣＰＵ２１（制御手段）より供給される指令に対応してレンズ５９の位置を調整することで、赤外線信号の出射角度を調整するようになされている。受光部５７は、他の電子機器からの赤外線信号を受光し、これを電気信号に変換して、Ｉ／Ｏポート２５を介してＣＰＵ２１に出力するようになされている。
【００２０】
図１においては、デジタルスチルカメラ４０と赤外線信号を介して通信を行う他の電子機器として、パーソナルコンピュータ６１が図示されている。このパーソナルコンピュータ６１は、入力部６２からの指令に対応して各種の処理を行い、必要に応じて、発光部６３を制御し、赤外線信号を発生し、受光部５７に送信するようになされている。また、パーソナルコンピュータ６１の受光部６４は、デジタルスチルカメラの発光部５６より出射された赤外線信号を受光し、その受光結果をパーソナルコンピュータ６１に出力するようになされている。
【００２１】
なお、パーソナルコンピュータ６１は、必要に応じて、Ｉ／Ｏポート２５と電気的に接続することも可能である。
【００２２】
図２と図３は、発光部５６における赤外線信号の出射角度の調整方法を示している。この実施の形態においては、レンズ５９として、凸レンズ５９−１と凹レンズ５９−２が設けられ、発光ダイオード５８により発生された赤外線信号が、凸レンズ５９−１と凹レンズ５９−２を介して出射されるようになされている。そして、駆動部５５は、赤外線信号の出射角度を広くするとき、図２に示すように、凹レンズ５９−２を凸レンズ５９−１に近づくように移動させ、赤外線信号の出射角度を狭くするとき、図３に示すように、凹レンズ５９−２を凸レンズ５９−１から、より遠い位置に移動させる。もちろん、凹レンズ５９−２ではなく、凸レンズ５９−１の位置を調整することで、出射角度を調整することも可能である。あるいはまた、凸レンズ５９−１と凹レンズ５９−２の両方の位置を調整するようにしてもよい。さらに、レンズの数は３個以上としたり、１個だけとすることも可能である。
【００２３】
ＣＰＵ２１は、タイミングジェネレータ１２を制御し、被写体を撮像させる。タイミングジェネレータ１２は、ＣＰＵ２１から撮像が指令されたとき、端子３２を介して、駆動回路５を駆動し、ＣＣＤ２に画像データを取り込ませる。このＣＣＤ２には、使用者が被写体に向けて撮像した画像が、撮影レンズ１を介して結像している。従って、ＣＣＤ２を駆動回路５で駆動することにより、ＣＣＤ２により光電変換された画像信号が、アンプ３を介して、Ａ／Ｄ変換回路４に入力される。Ａ／Ｄ変換回路４は、入力された画像信号をＡ／Ｄ変換し、端子３１を介してタイミングジェネレータ１２に供給する。
【００２４】
タイミングジェネレータ１２は、入力された画像データ（Ｙｅ，Ｃｙ，Ｇｒ）をＤＲＡＭ１３に一旦記憶させる。ＣＰＵ２１は、ＤＲＡＭ１３に一旦記憶された画像データを読み出し、シグナルジェネレータ１６に供給する。シグナルジェネレータ１６は、この画像データのホワイトバランスを調整するとともに、エンコード処理して、ビデオデータ（Ｙ，Ｒ−Ｙ，Ｂ−Ｙ）を生成し、ＶＲＡＭ１７に一旦記憶させる。シグナルジェネレータ１６は、ＶＲＡＭ１７に描画したビデオデータを読み出して、Ｄ／Ａ変換回路１８に供給する。Ｄ／Ａ変換回路１８は、このビデオデータをＤ／Ａ変換し、アンプ１９を介して、ＬＣＤ２０に出力し、表示させる。このようにして、ＬＣＤ２０には、使用者が撮影レンズ１を介してモニタしている画像が表示される。使用者は、このＬＣＤ２０の画像を見て、被写体を確認することができる。
【００２５】
なお、以上のようにして、ＬＣＤ２０に表示するためのビデオデータの生成は、簡単に行われる。すなわち、例えば、ＤＲＡＭ１３に記憶された画像データのうち、例えばＹｅ成分のみを用いて、輝度データと色差データが生成される。これにより、ＬＣＤ２０に対して、撮影レンズ１で撮像した時々刻々と変化する画像（モニタする画像）を、迅速に更新し、表示することが可能となる。
【００２６】
一方、キー入力部２４の所定のボタン（レリーズボタン）を操作して記録を指令すると、ＣＰＵ２１は、ＤＲＡＭ１３に記憶されている画像データをシグナルジェネレータ１６に供給し、Ｙｅ成分、Ｃｙ成分、およびＧｒ成分の全てを用いて、より正確にビデオデータ（Ｙ，Ｒ−Ｙ，Ｂ−Ｙ）を生成（エンコード）させる。さらに、ＣＰＵ２１は、このビデオデータを圧縮／伸張回路１５に供給し、例えばＪＰＥＧ(Joint Photographic Experts Group)方式で圧縮処理を実行させる。圧縮されたビデオデータは、フラッシュメモリ１４に書き込まれる。
【００２７】
キー入力部２４の所定のキーを操作して再生を指令すると、ＣＰＵ２１は、フラッシュメモリ１４に書き込まれているビデオデータの１つを読み出し、圧縮／伸張回路１５に供給させる。圧縮／伸張回路１５は、このビデオデータを伸張し、シグナルジェネレータ１６に供給する。シグナルジェネレータ１６は、入力されたビデオデータに同期信号などを付加し、ＶＲＡＭ１７に描画する。そして、このビデオデータを読み出し、Ｄ／Ａ変換回路１８に出力する。Ｄ／Ａ変換回路１８は、入力されたビデオデータをＤ／Ａ変換し、アンプ１９を介して、ＬＣＤ２０に出力し、表示させる。このようにして、ＬＣＤ２０に、フラッシュメモリ１４に記録した画像を表示させることができる。上述したように、この表示画像は、撮影レンズ１を介して、時々刻々と変化する画像をモニタしている場合と異なり、より正確な処理を行って取り込んだ画像であるので、被写体をモニタしている場合の画像に較べて、よりきれいな画像を見ることができる。
【００２８】
次に、図４と図５のフローチャートを参照して、パーソナルコンピュータ６１とデジタルスチルカメラの間で赤外線信号を利用して、情報を授受する場合の動作について説明する。なお、図４は、マスタとしてのパーソナルコンピュータ６１の動作を表し、図５は、スレーブとしてのデジタルスチルカメラの動作を表している。
【００２９】
最初に、ステップＳ１において、パーソナルコンピュータ６１は、発光部６３を制御し、赤外線信号を出射させる。そして、ステップＳ２において、デジタルスチルカメラの発光部５６から赤外線信号が送信されてきたか否かを受光部６４の出力から検出し、発光部５６から応答がない場合には、ステップＳ１に戻り、再び発光部６３を制御し、赤外線信号を出射させる。そして、ステップＳ２において、デジタルスチルカメラ４０の発光部５６から応答があったと判定されるまで、ステップＳ１，Ｓ２の処理を繰り返し実行する。
【００３０】
これに対して、デジタルスチルカメラ４０側においては、ステップＳ２１において、その受光部５７で発光部６３より出射された赤外線信号を受信する。ＣＰＵ２１は、Ｉ／Ｏポート２５を介して、この受信信号の入力を受けたとき、ステップＳ２２に進み、現在通信可能な状態であるか否かを判定する。通信可能な状態でなければ、特に処理を行わず、処理を終了する。いま、通信可能な状態であると判定された場合には、ステップＳ２３に進み、ＣＰＵ２１は、Ｉ／Ｏポート２５を介して発光ダイオード５８を駆動し、赤外線信号を発生させる。この赤外線信号は、凸レンズ５９−１と凹レンズ５９−２を介して、受光部６４に出射される。パーソナルコンピュータ６１は、受光部６４で、発光部５６からの赤外線信号を受信したと判定したとき、ステップＳ２において応答があったものと判定する。
【００３１】
パーソナルコンピュータ６１は、デジタルスチルカメラ４０から応答があった場合には、ステップＳ３に進み、発光部６３を制御し、デジタルスチルカメラ４０にＡＣアダプタが接続されているか否かを問い合わせるための赤外線信号を出射させる。デジタルスチルカメラ４０のＣＰＵ２１は、ステップＳ２４において、パーソナルコンピュータ６１から、このＡＣアダプタの接続に関する問い合わせがあるまで待機し、受光部５７が、この問い合わせ信号を検出したと判定されたとき、ステップＳ２５に進み、ＡＣアダプタが、いま接続されているか否かを判定する。すなわち、ＣＰＵ２１は、Ｉ／Ｏポート２５を介して、検出回路５４の出力をモニタし、ＡＣアダプタが、ＡＣアダプタ接続端子５３にいま接続されているか否かを判定する。ＡＣアダプタが接続されている場合には、ステップＳ２６に進み、ＣＰＵ２１は、発光ダイオード５８を制御し、ＡＣアダプタが接続されていることを表す回答を赤外線信号で発生させる。
【００３２】
パーソナルコンピュータ６１は、受光部６４の出力をモニタし、ステップＳ４で、デジタルスチルカメラ４０からの回答があれば、これを受信する。そして、ステップＳ５において、その回答がＡＣアダプタが接続されていることを示しているか否かを判定する。ＡＣアダプタが接続されているとの回答である場合には、ステップＳ８に進み、パーソナルコンピュータ６１は、発光部６３を制御し、最大出射角度を設定させるための指令を赤外線信号で発生させる。
【００３３】
デジタルスチルカメラ４０においては、このパーソナルコンピュータ６１からの指令をステップＳ３０で受信する。そして、ＣＰＵ２１は、この指令に対応して、Ｉ／Ｏポート２５を介して駆動部５５を制御し、凹レンズ５９−２を、図２に示すように、凸レンズ５９−１に近い位置に配置させる。これにより、最大の出射角度が設定される。すなわち、発光ダイオード５８により発生した赤外線信号は、最も広い範囲にわたって出射される。その結果、発光部５６が、受光部６４を正しく指向していないような状態であったとしても、例えば、周囲の壁などで反射された赤外線信号が、受光部６４に入射されることで、通信を行うことが可能となる。
【００３４】
そこで、パーソナルコンピュータ６１とデジタルスチルカメラ４０は、それぞれ、ステップＳ９とステップＳ３１において、赤外線信号を用いて、相互に通信を行う。これにより、例えば、フラッシュメモリ１４に書き込まれた画像データが、赤外線信号により、パーソナルコンピュータ６１に伝送され、そこに内蔵されている、例えばハードディスクなどの記録媒体に記録される。
【００３５】
一方、図５のステップＳ２５において、ＡＣアダプタ接続端子５３にＡＣアダプタが接続されていないと判定された場合、ＣＰＵ２１は、ステップＳ２７に進み、Ｉ／Ｏポート２５を介して、検出回路５２の出力をモニタする。そして、電池５１の残容量を検出する。この残容量が、予め設定してある所定の基準値より大きいか否か（残容量が充分であるか否か）を判定する。電池５１の残容量が基準値より大きい場合、ステップＳ２９に進み、ＣＰＵ２１は、電池残容量が大きいことを表す回答を発生させ、残容量が基準値より小さい場合、ステップＳ２８に進み、電池残容量が少ないことを表す回答を発生させる。この回答が、発光ダイオード５８から赤外線信号で発生され、受光部６４で受信され、パーソナルコンピュータ６１に供給される。
【００３６】
パーソナルコンピュータ６１は、ステップＳ５において、ＡＣアダプタが接続されていないことをデジタルスチルカメラ４０からの回答が示していると判定した場合には、ステップＳ６に進み、その回答は、電池残容量が大きいことを示しているか否かを判定する。電池残容量が大きい場合には、ステップＳ８に進み、ＡＣアダプタが接続されている場合と同様に、最大出射角を設定させるための指令を発光部６３に発生させる。従って、この場合においては、上述した場合と同様に、デジタルスチルカメラ４０側においては、図２に示すように、凹レンズ５９−２が最大の出射角度を設定する位置に調整される。
【００３７】
これに対して、ステップＳ６において、電池残容量が大きくないと判定された場合、ステップＳ７に進み、パーソナルコンピュータ６１は、発光部６３を制御し、最小の出射角度を設定させるための指令を発生させる。
【００３８】
デジタルスチルカメラ４０側においては、この指令をステップＳ３０において、受光部５７を介して受信する。ＣＰＵ２１は、この指令に対応して、駆動部５５を制御し、凹レンズ５９−２を図３に示すような位置に移動させる。これにより、最も狭い範囲の出射角度が設定されることになる。その結果、パーソナルコンピュータ６１（受光部６４）とデジタルスチルカメラ４０（発光部５６）とが、比較的離れた位置に配置されていたとしても、赤外線信号のエネルギをより狭い範囲に集中させることができるので、赤外線信号を用いた通信が可能となる。
【００３９】
なお、以上においては、出射角度の調整値を最大値または最小値のいずれかとしたが、電池残容量の程度に応じて、その間の任意の出射角度に調整するようにすることも可能である。
【００４０】
また、出射角度をＡＣアダプタの接続状態や電池の残容量に拘らず、任意の値に設定するようにすることも可能である。図６のフローチャートは、このような場合の処理例を表している。
【００４１】
すなわち、最初にステップＳ４１において、設定すべき出射角度が入力される。この入力は、例えば、パーソナルコンピュータ６１の入力部６２を操作することで入力したり、デジタルスチルカメラ４０のキー入力部２４を操作することで入力することができる。パーソナルコンピュータ６１は、入力部６２から出射角度の入力がなされた場合には、発光部６３を制御し、その出射角度に対応する赤外線信号を出射させる。デジタルスチルカメラ４０のＣＰＵ２１は、この赤外線信号を受光部５７を介して受信する。
【００４２】
ＣＰＵ２１は、次にステップＳ４２に進み、ステップＳ４１で入力された値に対応する出射角度が設定されるように駆動部５５を制御し、凹レンズ５９−２の位置を調整させる。
【００４３】
図７は、さらに他の処理例を表している。この処理例においては、ＡＣアダプタの接続状態または電池残容量の検出結果に対応する半強制的（自動的）な設定処理と、任意の出射角度への設定処理との両方が可能となされている。
【００４４】
すなわち、最初にステップＳ５１において、いま、ＡＣアダプタが接続されているか否かが判定され、ＡＣアダプタが接続されていなければ、ステップＳ５２において、電池残容量が充分であるか否かが判定される。電池残容量が充分でない場合には、ステップＳ５３に進み、最小の出射角設定処理が実行される。
【００４５】
これに対して、ステップＳ５１において、ＡＣアダプタが接続されていると判定されるか、ステップＳ５２において、電池の残容量が充分であると判定された場合には、ステップＳ５４に進み、使用者が任意の出射角度を入力し、ステップＳ５５において、その入力された値に対応する出射角の設定処理が行われる。
【００４６】
すなわち、この処理例においては、電池残容量が不十分である場合には、自動的に、最小出射角が設定され、電池残容量が充分であるか、ＡＣアダプタが接続されている場合においてのみ、任意の値に出射角を設定することが可能となる。
【００４７】
なお、この図７に示す処理も、パーソナルコンピュータ６１側において行うようにしてもよいし、デジタルスチルカメラ４０側において独自に行うようにすることも可能である。
【００４８】
図８は、デジタルスチルカメラ４０側において自動的に出射角を設定する場合の処理例を表している。この場合には、最初にステップＳ７１において、ＡＣアダプタが接続されているか否かが判定され、接続されていなければ、ステップＳ７２において、電池残容量が充分であるか否かが判定される。そして、電池残容量が充分でないと判定された場合には、ステップＳ７３に進み、最小出射角を設定する処理が実行される。これに対して、ステップＳ７１において、ＡＣアダプタが接続されていると判定されるか、または、ステップＳ７２において、電池残容量が充分であると判定された場合には、ステップＳ７４において、最大出射角が設定される。
【００４９】
以上においては、デジタルスチルカメラ４０とパーソナルコンピュータ６１の間において、赤外線信号を用いて通信を行う場合を例として実施の形態を説明したが、その他の電子機器の間において、赤外線信号を用いて通信を行う場合にも、本発明は適用することが可能である。
【００５０】
なお、上記したような処理を行うコンピュータプログラムをユーザに提供する記録媒体としては、磁気ディスク、CD-ROM、固体メモリなどの記録媒体の他、ネットワーク、衛星などの通信媒体を利用することができる。
【００５１】
図１０は、デジタルスチルカメラ１００に付随しているフロッピディスク１０１に、このような処理を行うコンピュータプログラムを記録しておき、ユーザに提供し、ユーザが、このフロッピディスク１０１をパーソナルコンピュータ２００に装着し、インストールして、デジタルスチルカメラ１００を制御する様子を表している。
【００５２】
【発明の効果】
以上の如く、請求項１に記載の電子機器の情報伝送方法によれば、赤外線信号の出射角度を調整するようにしたので、伝送距離や電池の残容量に拘らず、常に安定した通信を行うことが可能となる。
【図面の簡単な説明】
【図１】本発明の電子機器を応用したデジタルスチルカメラ４０の構成例を示すブロック図である。
【図２】より広い範囲の出射角度を設定する場合のレンズの位置を説明する図である。
【図３】より狭い範囲の出射角度を設定する場合のレンズの位置を説明する図である。
【図４】図１のパーソナルコンピュータ６１の処理動作を説明するフローチャートである。
【図５】図１のデジタルスチルカメラ４０の動作を説明するフローチャートである。
【図６】出射角度を任意の値に設定する場合の処理を説明するフローチャートである。
【図７】ＡＣアダプタの接続状態または電池残容量に対応して出射角度を設定するとともに任意の角度に出射角度を設定することができるようにした場合の処理例を示すフローチャートである。
【図８】デジタルスチルカメラ４０側において、自動的に出射角度を設定する場合の処理例を示すフローチャートである。
【図９】ＩｒＤＡの仕様について説明する図である。
【図１０】デジタルスチルカメラを制御する例を示す図である。
【符号の説明】
１  撮影レンズ
２  ＣＣＤ
１２  タイミング・ジェネレータ
１４  フラッシュメモリ
１５  圧縮／伸張回路
１６  シグナルジェネレータ
１７  ＶＲＡＭ
２０  ＬＣＤ
２１  ＣＰＵ
２４  キー入力部
４０  デジタルスチルカメラ
４１  レンズブロック部
４２  カメラ本体
４３  接続部
５１  電池
５２  検出回路
５３  ＡＣアダプタ接続端子
５４  検出回路
５６  発光部
５７  受光部
５８  発光ダイオード
５９  レンズ
６１  パーソナルコンピュータ
６３  発光部
６４  受光部
【図１】
0003747609.tif 000002
【図２】
0003747609.tif 000003
【図３】
0003747609.tif 000004
【図４】
0003747609.tif 000005
【図５】
0003747609.tif 000006
【図６】
0003747609.tif 000007
【図７】
0003747609.tif 000008
【図８】
0003747609.tif 000009
【図９】
0003747609.tif 000010
【図１０】
0003747609.tif 000011